(57)【要約】【課題】現在の立体映像システムは、立体映像の映像処理、及び編集や記録再生表示装置が複雑で高価格である。また、方式によっては画質の劣化が著しい。【解決手段】左右両眼視差を利用した立体映像システムにおいて、左眼用映像、及び右眼用映像をコンピュータ上でフレーム単位に連結した２画面連結映像に変換して、コンピュータムービー（動画）形式で記録、及び編集、及びデジタル圧縮のデジタル画像処理をして、コンピュータ上で再生し、画像メモリーを利用して同期制御した２画面に分離出力することにより、高精細表示を可能として、同期制御用の機器が不要で、システムが簡便で、低コストでシステム構築するものである。【選択図】　図１
2004080727.tif 000002
【特許請求の範囲】
【請求項１】
左右両眼視差を利用した立体映像システムにおいて、左眼用映像、及び右眼用映像の２画面を、コンピュータ上でフレーム単位に連結した２画面連結映像に変換して記録、及び編集、及びデジタル圧縮してムービー（動画）プレイヤーで全画面再生すると同時に、画像メモリーを利用して再生Ｌ映像、及び再生Ｒ映像に分離するまでの一連のデジタル画像処理を、前記２画面連結映像のままで行うことを特徴とする立体映像画像処理方式。
【請求項２】
左右両眼視差を利用した立体映像システムにおいて、左眼用映像、及び右眼用映像の２画面を、コンピュータ上でフレーム単位に連結した２画面連結映像を、１台の２画面ビデオボードを付加したコンピュータに記録して、ムービー（動画）プレイヤーで全画面再生して、前記２画面ビデオボードにより分離し、再生Ｌ映像、及び再生Ｒ映像を得ることを特徴とする立体映像記録再生方式。
【発明の詳細な説明】
【０００１】
【発明の属する技術分野】
この発明は、左右両眼視差を利用した立体映像システムにおいて、左眼用映像、及び右眼用映像の２画面を、コンピュータ上で連結した２画面連結映像を用いた立体映像画像処理方式、及び立体映像記録再生方式に関するものである。
【０００２】
【従来の技術】
左右両眼視差を利用した立体映像システムとしては、左眼用映像、及び右眼用映像の２画面用にフィルム映写機やＶＴＲ等の記録再生装置を２式利用して、並列同期運転して前記２画面を表示する同期方式、及び記録再生装置を１式利用して、画面フィールドごとに前記２画面を交互に記録した映像を作製し記録して、それを再生した映像から前記２画面を抽出して表示するフィールドシーケンシャル方式等が一般的である。
【０００３】
前記同期方式は元の画面の画質を維持し、高精細表示が可能であるが、前記２画面の記録、および編集などの映像処理をする場合、前記２画面用としてシステムを二重にしなければならず、さらに同期制御のための機器を必要とする。あるいは前記２画面用に、同様の映像処理を２度行うことを必要とする。また再生する際に、記録再生装置が２式必要であり、さらに同期制御のための機器を必要とする。そのためシステムが複雑となり、非常に高価格である。
【０００４】
前記フィールドシーケンシャル方式は記録、及び編集、及び再生において、従来のテレビジョン技術を利用したものであり、システム機器は１式でよく、さらに同期制御のための機器を必要とせず、簡便なシステムである。一方で、方式により、元の映像より画素数が減少するか、あるいは単位時間あたりの画面数が減少する欠点がある。前記画素数が減少すると画質が劣化する。前記画面数が減少するとフリッカが発生し、あるいは画面が滑らかな動きとならない。
【０００５】
【発明が解決しようとする課題】
現在の立体映像システムにおける同期方式は、システム機器が二重に必要で、付随して同期制御が必要であり、そのためにシステムが複雑となり、また非常に高価格である。フィールドシーケンシャル方式は、画質が劣化し、またはフリッカが発生し、あるいは画面が滑らかな動きとならないなど、高精細表示ができない。
【０００６】
そこで、この発明の課題は、前記同期方式と前記フィールドシーケンシャル方式における、短所を排除する立体映像システムを構築することにある。つまり、高精細表示が可能で、同期制御用の機器が不要で、システムが簡便で、低コストの立体映像システムを構築するための画像処理と記録再生方式を提供することにある。
【０００７】
【課題を解決するための手段】
上記課題を解決すべく、請求項１に記載の発明は、左右両眼視差を利用した立体映像システムにおいて、入力である左眼用映像、及び右眼用映像の２画面を、コンピュータでデジタルムービー（動画）形式に変換して、前記２画面をコンピュータ上でフレーム単位に連結した２画面連結映像に変換し、この２画面連結映像をデジタルムービー（動画）形式で記録する。さらに２画面連結映像のままコンピュータ上で映像及び音声の編集を行い、汎用のデジタル圧縮を行う。この２画面連結映像を、ムービー（動画）プレイヤーで全画面再生し、同時に画像メモリーによる２画面分離を行うことで、同期制御した状態で高精細の再生Ｌ映像、及び再生Ｒ映像を得る。この一連のデジタル画像処理をコンピュータ上で行うものである。
【０００８】
請求項２に記載の発明は、前記立体映像システムにおいて、立体映像を表示するために、左眼用映像、及び右眼用映像の２画面を連結した２画面連結映像をデジタル圧縮して、１台の２画面ビデオボードが付加されたコンピュータに記録し、ムービー（動画）プレイヤーで全画面再生し、前記２画面ビデオボードにより前記２画面連結映像を分離するもので、出力映像として高精細の再生Ｌ映像、及び再生Ｒ映像を完全に同期制御した状態で得るものである。
【０００９】
また、システムとして簡便、低コストのパーソナルコンピュータを採用する。
【００１０】
【発明の実施の形態】
図１はこの発明の実施の形態に係る立体映像２画面連結映像システムにおける立体映像画像処理方式を示すブロック図である。入力である横Ｘピクセル、縦Ｙピクセルの画面サイズである左眼用映像１、及び同一サイズの右眼用映像２をそれぞれムービー形式変換３でデジタルムービー（動画）形式に変換して、この２画面を２画面連結映像変換５で、連結した横２Ｘピクセル、縦Ｙピクセルの画面サイズである２画面連結映像４に変換する。前記２画面連結映像４のまま、記録・編集・デジタル圧縮６で記録・編集・デジタル圧縮して、ムービープレイヤー全画面再生７で全画面再生し、画像メモリー２画面分離８で左右の画面に分離し、出力として左右の映像が完全に同期した横Ｘピクセル、縦Ｙピクセルの画面サイズである再生Ｌ映像９、及び同一サイズの再生Ｒ映像１０を得るものである。
【００１１】
図２はこの発明の実施の形態に係る立体映像２画面連結映像システムにおける立体映像記録再生方式を示すブロック図である。前記立体映像画像処理方式（図１）を採用した再生表示システムで、１台のパーソナルコンピュータ１１に２画面ビデオボード１２を付加し、この２画面ビデオボードで再生Ｌ映像、及び再生Ｒ映像の２画面を同時に再生出力する。
【００１２】
これをレンズ前に偏光フィルタＬ１５、及び偏光フィルタＲ１６を取り付けた液晶プロジェクタＬ１３、及び液晶プロジェクタＲ１４に入力し、立体映像スクリーン１７に前記２画面を重ねて投射する。これを偏光メガネ等を用いて、左眼用、及び右眼用にそれぞれ分離することで、奥行き感のある立体画像を観察できるシステムである。アミューズメント施設や美術館、博物館、催事などにおいて、使用されるものである。
【００１３】
【発明の効果】
請求項１の発明によれば、コンピュータ上でフレーム単位に連結した２画面連結映像については、そのまま映像編集や映像加工ができ、製作時間の短縮や製作コストを抑止することができる。汎用のデジタル圧縮（ＪＰＥＧ、ＭＰＥＧ４など）することにより再生表示が可能で、画面サイズ、アスペクト比、圧縮品質の自由度が高いため、ワイド画面で高解像度の超高画質な立体映像システムにも容易に発展させられるという効果がある。
【００１４】
請求項２の発明によれば、立体映像システムの機器構成は、高価な機器、アダプターなどを必要とせず、１台の２画面ビデオボード付のパーソナルコンピュータであり、高精細表示が可能で、同期制御用の機器が不要で、システムが簡便、低コストな立体映像システムが構築できる。
【００１５】
請求項１の発明によれば、コンピュータのムービー（動画）形式による動画フォーマットは、コンピュータグラフィックスによる３Ｄ立体映像製作の出力で得られるものであり、立体映像の製作コストを低廉化させ、ブロードバンド配信、立体映像ゲームなど、広範囲な立体映像サービスへの応用が期待できる。
【００１６】
また、左眼用映像、及び右眼用映像の横ピクセル数Ｘ、及び縦ピクセル数Ｙを任意に設定できるので、各種のデジタルテレビジョン方式に必要なアスペクト比、及び解像度をもった立体映像を提供することができる。
【図面の簡単な説明】
【図１】この発明の実施の形態に係る立体映像２画面連結映像システムの立体映像画像処理方式を示すブロック図である。
【図２】この発明の実施の形態に係る立体映像２画面連結映像システムの立体映像記録再生方式を示すブロック図である。
【符号の説明】
１　左眼用映像、２　右眼用映像、３　ムービー形式変換、４　２画面連結映像、５　２画面連結映像変換、６　記録・編集・デジタル圧縮、７　ムービープレイヤー全画面再生、８　画像メモリー２画面分離、９　再生Ｌ映像、１０　再生Ｒ映像、１１　パーソナルコンピュータ、１２　２画面ビデオボード、１３　液晶プロジェクタＬ、１４　液晶プロジェクタＲ、１５　偏光フィルタＬ、１６　偏光フィルタＲ、１７　立体映像スクリーン
【図１】
2004080727.tif 000003
【図２】
2004080727.tif 000004